(57)【要約】【課題】  演算処理にともなう遅延を抑えて時刻修正することが可能な時計装置を提案するものである。【解決手段】  時刻を知らせる表示器１０５と、この表示器１０５を駆動する駆動手段１０４と、時刻情報を含む標準電波を受信する受信手段１０３と、基準クロック信号を計数して時刻を求め所定周期で駆動手段１０４に時刻信号を出力するとともに受信手段１０３を介して受信する時刻情報に基づいて時刻を修正処理して駆動手段１０４に時刻信号を出力する制御手段１０１とを備える時計装置１００であって、制御手段１０１が時刻情報に基づいて時刻を修正処理した後に、標準電波のタイムコード中のポジションマーカーＰ０を検出し、ポジションマーカーＰ０の後に送信されるマーカーＭとほぼ同時となるように、所定周期に対して所定時間分短い周期で駆動手段１０１に時刻信号を出力するものである。【選択図】  図２
2006153721.tif 000002
【特許請求の範囲】
【請求項１】
時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記所定周期に対して所定時間分短い周期で前記駆動手段に時刻信号を出力することを特徴とする時計装置。
【請求項２】
時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記標準電波のタイムコード中のポジションマーカーＰ０を検出し、前記ポジションマーカーＰ０の後に送信されるマーカーＭとほぼ同時となるように、前記所定周期に対して所定時間分短い周期で前記駆動手段に時刻信号を出力することを特徴とする時計装置。
【請求項３】
時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記制御手段が前記標準電波のタイムコード中のマーカーＭを検出し、前記マーカーＭの後に送信される１秒周期の信号とほぼ同時となるように、前記所定周期に対して所定時間分短い周期で前記駆動手段に時刻信号を出力することを特徴とする時計装置。
【発明の詳細な説明】
【技術分野】
【０００１】
本発明は、利用者に時刻を知らせる時計装置に関し、特に時刻情報を含む標準電波を受信して時刻を合わせる時計装置に関するものである。
【背景技術】
【０００２】
現在、独立行政法人情報通信研究機構が長波（４０と６０ｋＨｚ）標準電波でタイムコードを送信している。そして、タイムコードと呼ばれる時刻情報を含んだ標準電波を受信し時刻を合わせる時計装置が存在している。標準電波のタイムコードは、分、時、１月１日からの通算日、年、曜日、うるう秒の時刻情報を含む６０ビットのタイムコードを１周期６０秒のタイミングで送信している。
【０００３】
時計装置は、受信した前記標準電波を復調して矩形パルスを得て、この矩形パルスから時刻情報を検出する演算処理を行い、この演算にて得た時刻情報に応じて時刻を修正している。
【特許文献１】特開平１０−８２８７３号公報
【発明の開示】
【発明が解決しようとする課題】
【０００４】
前述した標準電波の復調などの演算処理を行うためには、２０ミリ秒から１００ミリ秒、平均して４０ミリ秒ほどの処理時間が必要であり、時刻修正に遅延が生じ、標準電波に対して、時計装置の演算処理が遅れ、ひいては、表示が遅れるという問題点があった。
【０００５】
そこで、本発明は前述した問題点に着目し、演算処理にともなう遅延を抑えて時刻修正することが可能な時計装置を提案することを目的とするものである。
【課題を解決するための手段】
【０００６】
本発明は、前記課題を解決するため、請求項１に記載した時計装置のように、時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記所定周期に対して所定時間分短い周期で前記駆動手段に時刻信号を出力するものである。
【０００７】
また、請求項２に記載した時計装置のように、時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記標準電波のタイムコード中のポジションマーカーＰ０を検出し、前記ポジションマーカーＰ０の後に送信されるマーカーＭとほぼ同時となるように、前記所定周期に対して所定時間分短い周期で前記駆動手段に時刻信号を出力するものである。
【０００８】
また、請求項３に記載した時計装置のように、時刻を知らせる表示器と、この表示器を駆動する駆動手段と、時刻情報を含む標準電波を受信する受信手段と、基準クロック信号を計数して時刻を求め所定周期で前記駆動手段に時刻信号を出力するとともに前記受信手段を介して受信する時刻情報に基づいて時刻を修正処理して前記駆動手段に時刻信号を出力する制御手段とを備える時計装置であって、前記制御手段が時刻情報に基づいて時刻を修正処理した後に、前記制御手段が前記標準電波のタイムコード中のマーカーＭを検出し、前記マーカーＭの後に送信される１秒周期の信号とほぼ同時となるように、前記所定周期に対して所定時間分短い周期で前記駆動手段に時刻信号を出力するものである。
【発明の効果】
【０００９】
本発明は、演算処理にともなう遅延を抑えて時刻修正することが可能な時計装置を提供することができる。
【発明を実施するための最良の形態】
【００１０】
以下、本発明の実施形態を添付図面に基づいて説明する。
【００１１】
図１は、時計装置１００のブロック図であり、ここでは、車両用の計器装置に時計装置を集約したものを例に挙げる。時計装置１００は、時計装置１００の制御を行う（後述する処理動作をなす）マイクロコンピュータからなる制御手段１０１と、標準電波を受信するためのアンテナ１０２と、受信手段１０３と、車両インターフェース端子１０９ａ〜１０９ｅと、車両インターフェース手段１０８と、時刻，積算距離（オド，トリップ）等の表示を行う液晶表示素子や有機ＥＬ表示素子等からなるデジタル式の表示器１０５と、速度計（ＳＰ）、エンジン回転計（ＴＡ）などの各種計器１０６と、表示器１０５及び各種アナログ計器１０６の駆動手段１０４と、制御手段１０１及び標準電波を受信する各時刻等を記憶する記憶手段１０７と、制御手段１０１の基準クロック信号を生成する水晶振動子１１２とから主に構成される。
【００１２】
車両インターフェース端子１０９ａ〜１０９ｃには、イグニッションキーのオン信号（投入信号）、操作手段から指示信号、その他の車両情報（複数本）がそれぞれ入出力されるべく、それぞれの信号線路が接続される。車両インターフェース端子１０９ｄ及び１０９ｅには、バッテリ及びＧＮＤが接続される。尚、バッテリ１０９ｄとＧＮＤ１０９ｅは、電源手段１１０に接続され、時計装置１００内へ所定の電圧供給を行い、リセット手段１１１は、バッテリ１０９ｄが非接触状態から接触状態に移行した際にリセット信号を発生する。
【００１３】
時計装置１００の制御手段１０１の処理動作について詳述する。制御手段１０１は、水晶振動子１１２から発せられる基準クロック信号を計数して時刻を求めて、駆動手段１０４を介して表示器１０５に計数処理によって得られた時刻を表示する。そして制御手段１０１は、所定の時刻（ここでは午前２時、午前４時、午後２時、午後４時の４回）毎に、アンテナ１０２及び受信手段１０３を介して時刻情報を含む標準電波を受信する。
【００１４】
次に、図２、３を用いて、時刻の修正方法について説明する。制御手段１０１は、所定の時刻に時刻修正処理を開始する（Ｓ１）。少なくとも２分間（２サイクル）分受信した時刻データ（電波）が正常が否かを判定（Ｓ２）し、正常であればＳ３に進み、正常でなければＳ４に進む。ここでＳ４に進んだ場合を説明すると、受信時間はバッテリの消耗を抑えるためにある決められた時間となっており、この時間が経過した場合は、受信を終了（Ｓ７）し、時刻修正処理が終了する（Ｓ９）。また、時間が経過していない場合は、受信を継続（Ｓ８）し、Ｓ２に戻る。
【００１５】
ここで、Ｓ２からＳ３に進んだ場合の説明に戻る。Ｓ２で受信した時刻データが正常であった場合、制御手段１０１で標準電波のタイムコード中のポジションマーカーＰ０（通常は、タイムコードの５９秒の立ち上がりに対応、閏秒によって、前後１秒変化）を検出したかどうかを判定する（Ｓ３）。ここでポジションマーカーＰ０が検出できた場合、Ｓ４に進み制御手段１０１の内部時計を修正する。ここまでの時計修正の演算処理には、図３で示すように、（Ａ）の標準電波のポジションマーカーＰ０の立ち上がりに対して、時刻修正処理は、（Ｃ）で示すように、時間経過してしまっている。ここで、制御手段１０１は、通常であれば、図３の動作のタイミングを説明する図の特に（Ｅ）で示すように、所定の周期で表示器１０５を駆動する駆動手段１０４に信号を出力するものである。
【００１６】
この所定の周期は１秒で、デューティー比が５０％の矩形波信号で、この信号の立ち上がりを検出すると、駆動手段１０４に制御手段１０１が時刻信号を出力していた。このため、制御手段１０１で標準電波のＰ０を検出し時刻を修正しても、通常の周期で、駆動手段１０４に時刻信号を出力していては、標準電波のマーカーＭ（タイムコードの毎分０秒の立ち上がりに対応）受信時には、表示器１０５での表示にズレが生じることとなる。
【００１７】
そこで、本実施形態では、この駆動手段１０４への時刻信号を出力する所定の周期に対して、図３中の（Ｄ）で示すように、標準電波のポジションマーカーＰ０を受信してから、時刻修正処理までにかかる所定時間ｔ分短い周期で、駆動手段１０４に時刻信号を１回だけ出力する（Ｓ５）。この所定時間ｔは、標準電波を演算処理する時間であり、図３中の標準電波の立ち上がりから、時刻修正処理の終了を示す立ち下がりまでであり、時間にすると、平均で４０ミリ秒であり、本実施例では、この４０ミリ秒を所定時間ｔと設定している。このようにすることで、演算処理にともなう遅延を抑えて、標準電波のマーカーＭ受信時に、表示器１０５の表示が遅延を抑え、時刻を合わせて表示することができる。そして、この時刻修正処理を終了する（Ｓ９）。
【００１８】
なお、前記実施形態では、標準電波のタイムコード中のポジションマーカーＰ０の後に送信されるマーカーＭとほぼ同時となるように、前記所定周期に対して所定時間分短い周期で駆動手段１０４に時刻信号を出力するものでしたが、前記実施形態に限定されるものではなく、標準電波のタイムコード中のマーカーＭを検出し、マーカーＭの後に１秒周期で送信される信号とほぼ同時となるように、前記所定周期に対して所定時間分短い周期で駆動手段１０４に時刻信号を出力してもよい。また、前記所定周期に対して所定時間分短い周期で駆動手段１０４に時刻信号を出力する時期も、マーカーＭの直後の標準電波の信号に限定されるものではなく、例えば、数秒後に送信される信号に合わせても良いし、また、マーカーＭの後に送信されるいくつかのポジションマーカーの一つに合わせてもよい。
【００１９】
なお、前記実施形態では、計器装置１００は、車両用の計器装置に集約したものであったが、前記実施例に限定されるものではなく、時計装置のみの構成であっても良い。
【図面の簡単な説明】
【００２０】
【図１】本発明の実施形態の時計装置を示すブロック図。
【図２】同時計装置の時刻修正処理を説明する図。
【図３】同時計装置の動作のタイミングを説明する図。
【符号の説明】
【００２１】
１００  時計装置
１０１  制御手段
１０２  アンテナ
１０３  受信手段
１０４  駆動手段
１０５  表示器
１０７  記憶手段
１０９ａ〜１０９ｅ  車両インターフェース端子
１１２  水晶振動子
【図１】
2006153721.tif 000003
【図２】
2006153721.tif 000004
【図３】
2006153721.tif 000005